(57)【要約】【課題】片手で簡単且つ楽に一定量の種を放出できるようにする。【解決手段】操作レバー１を手指で操作することで一定量の種２を収納部３から導管４を介して放出する手持ち式種蒔き器であって、上記の収納部３を備えた本体部５に、上記の操作レバー１を操作する際に把持する取っ手６と、操作レバー１の操作でスライドし収納部３内の種２を一定量だけ擦り切り、擦り切り後に操作レバー１から手指を離すと復帰する擦り切り板７とを設ける。この擦り切り板７に、収納部３から自重で落下する種２の充填孔７ａを、板厚方向に貫通状に形成する。この充填孔７ａの擦り切り後の移動位置に対応する本体部５の下面箇所に、上記の導管４を充填孔７ａと連通状に設ける。【選択図】      図１
2004180590.tif 000002
【特許請求の範囲】
【請求項１】
操作レバーを手指で操作することで一定量の種が収納部から導管を介して放出される手持ち式種蒔き器であって、上記の収納部を備えた本体部に、上記の操作レバーを操作する際に把持する取っ手と、操作レバーの操作でスライドし収納部内の種を一定量だけ擦り切り、擦り切り後に操作レバーから手指が離されると復帰する擦り切り板とが設けられ、この擦り切り板に、収納部から自重で落下する種の充填孔が板厚方向に貫通状に形成され、この充填孔の擦り切り後の移動位置に対応する本体部の下面箇所に、上記の導管が充填孔と連通状に設けられていることを特徴とする手持ち式種蒔き器。
【請求項２】
請求項１記載の手持ち式種蒔き器であって、収納部が透明状の容器で形成されると共に、本体部に着脱自在に設けられていることを特徴とする手持ち式種蒔き器。
【請求項３】
請求項１又は２記載の手持ち式種蒔き器であって、充填孔の容量を違えた擦り切り板を複数備え、この擦り切り板が交換自在に形成されていることを特徴とする手持ち式種蒔き器。
【請求項４】
請求項１記載の手持ち式種蒔き器であって、収納部に隣り合わせて肥料収納部が設けられ、擦り切り板に肥料収納部から自重で落下する肥料の肥料充填孔が板厚方向に貫通状に形成され、この肥料充填孔の擦り切り後の移動位置に対応する本体部の下面箇所に、肥料放出管が肥料充填孔と連通状に設けられ、この肥料放出管と導管とが、種と肥料が混合状態で流される合流管に連通状に接続されていることを特徴とする手持ち式種蒔き器。
【請求項５】
請求項４記載の手持ち式種蒔き器であって、肥料収納部が透明状の容器で形成されると共に、本体部に着脱自在に設けられていることを特徴とする手持ち式種蒔き器。
【請求項６】
請求項４又は５記載の手持ち式種蒔き器であって、肥料充填孔の容量を種の充填孔の容量に対応させて違えた擦り切り板を複数備え、この擦り切り板が交換自在に形成されていることを特徴とする手持ち式種蒔き器。
【発明の詳細な説明】
【０００１】
【発明の属する技術分野】
本発明は、手持ち式種蒔き器に関し、更に詳しくは簡単な操作で且つ楽に種を一定量蒔くことができるよう形成した手持ち式種蒔き器に関するものである。
【０００２】
【従来の技術】
従来この種の種蒔き器としては、例えば導管の上部に計量カップを設け、この計量カップに外装されているホッパを、計量カップに対してスライドさせてホッパを下降させ、ホッパ内に設けられている棒状体で計量カップの底のシャッタを押し開き、ホッパ内の種を、導管を介して自重で落下させて放出するよう形成しているものがある（例えば特許文献１参照）。
【０００３】
【特許文献１】
特開２０００ー２２４９０４号公報
【０００４】
【発明が解決しようとする課題】
ところでこの種の種蒔き器は、作業を容易化できるよう、例えば片手で簡単に操作できるよう形成されているのが望ましい。
しかるに従来品は、上記のような構成に係るため、導管を一方の手で持ち、他方の手でホッパを押してホッパ内の棒状体で計量カップの底のシャッタを押し開く必要があった。
従って従来品によると、両手が必要になり片手で操作できず、しかも種の入っている重たい状態のホッパを上下動させる必要があったから、使い勝手が悪く、作業者に肉体的負担を強いる、という問題点があった。
【０００５】
本発明は、このような従来の問題点に鑑み、提案されたものである。
従って本発明の技術的課題は、片手で簡単且つ楽に一定量の種を放出できるよう形成した手持ち式種蒔き器を提供することにある。
【０００６】
【課題を解決するための手段】
本発明は、上記の課題を解決するために、次のような技術的手段を採る。
【０００７】
即ち本発明は、図１等に示されるように、操作レバー１を手指で操作することで一定量の種２が収納部３から導管４を介して放出される手持ち式種蒔き器であって、上記の収納部３を備えた本体部５に、上記の操作レバー１を操作する際に把持する取っ手６と、操作レバー１の操作でスライドし収納部３内の種２を一定量だけ擦り切り、擦り切り後に操作レバー１から手指が離されると復帰する擦り切り板７とが設けられ、この擦り切り板７に、収納部３から自重で落下する種２の充填孔７ａが板厚方向に貫通状に形成され、この充填孔７ａの擦り切り後の移動位置に対応する本体部５の下面箇所に、上記の導管４が充填孔７ａと連通状に設けられていることを特徴とする（請求項１）。
【０００８】
本発明の場合、本体部５の材質は任意であり、例えばステンレス鋼等の軽量で耐蝕性を有する金属材や、或いは合成樹脂材等で形成されるので良い。又ここで、操作レバー１を操作する際に把持する取っ手６とは、片手で持って操作レバー１を操作できることを意味する。種２の放出量の変更は、例えば擦り切り板７の厚さを厚くして充填孔７ａの高さを高くしたり、充填孔７ａの径を大きくすることで実現される。
【０００９】
本発明の場合、収納部３は透明状の容器で形成されると共に、本体部５に着脱自在に設けられているのが好ましい（請求項２）。
【００１０】
なぜならこれによると、外部から種２の残量が一目で解かり、補給が容易になるからである。又収納部３が本体部５に着脱自在に取り付けられていると、例えば大きさの異なる収納部３に簡単に変換でき、使い勝手が良くなるからである。
【００１１】
又本発明は、充填孔７ａの容量を違えた擦り切り板７を複数備え、この擦り切り板７が交換自在に形成されているのが好ましい（請求項３）。
【００１２】
なぜならこれによると、擦り切り板７を交換することで、簡単且つ迅速に放出量を変更できるからである。
【００１３】
又本発明は、図７等に示されるように、収納部３に隣り合わせて肥料収納部１４が設けられ、擦り切り板７に肥料収納部１４から自重で落下する肥料１５の肥料充填孔７ｂが板厚方向に貫通状に形成され、この肥料充填孔７ｂの擦り切り後の移動位置に対応する本体部５の下面箇所に、肥料放出管１６が肥料充填孔７ｂと連通状に設けられ、この肥料放出管１６と導管４とが、種２と肥料が混合状態で流される合流管１７に連通状に接続されているのでも良い（請求項４）。
【００１４】
なぜならこの場合は、種２を蒔く際に、肥料１５を一緒に放出でき、肥料１５だけ別途施す手間暇を解消できるからである。本発明の場合、肥料１５は、通常、粒状又は粉状のものが使用される。
【００１５】
又この本発明の場合は、肥料収納部１４が透明状の容器で形成されると共に、本体部５に着脱自在に設けられているのが好ましい（請求項５）。
【００１６】
なぜならこれによると、肥料１５の減り具合が外部から一目で解かり、又大きさの異なる肥料収納部１４に簡単、迅速に変更でき、使い勝手が一層良くなるからである。
【００１７】
又この本発明の場合は、肥料充填孔７ｂの容量を種２の充填孔７ａの容量に対応させて違えた擦り切り板７を複数備え、この擦り切り板７が交換自在に形成されているのが好ましい（請求項６）。
【００１８】
なぜならこれによると、種２だけではなく、種２の量に対応させて施肥量を、簡単、容易、且つ迅速に変更できるからである。
【００１９】
【発明の実施の形態】
以下、本発明の好適な一実施形態を添付図面に従って説明する。
【００２０】
本発明は、図１等に示されるように、操作レバー１を手指で操作することで一定量の種２が収納部３から導管４を介して放出される手持ち式の種蒔き器である。収納部３は、例えば透明状の筒形容器で形成され、収納口３ａを下にして本体部５に螺子合わされ、本体部５の上面５ａに対して垂直状に、且つ着脱自在に設けられている。本体部５は、軽量で耐蝕性を有するよう、この実施形態ではステンレス鋼で形成されている。
【００２１】
６は上記の操作レバー１を操作する際に把持する取っ手であり、７は擦り切り板である。取っ手６は、下端６ａが本体部５の一端側に固定され、上部の開放端６ｂを収納部３の側に近づけて傾斜状に設けられている。又擦り切り板７は、本体部５を構成する下プレート５ｂでサンドイッチ状に挟まれ、スライド自在に本体部５に設けられている。８は、下プレート５ｂの取り付け螺子である。上記の操作レバー１は、取っ手６の下端６ａに横軸９を介して、且つねじりコイルバネ１０で上端が取っ手６から離れる方向に弾発されて回動自在に取り付けられている。又操作レバー１の下端１ａは、擦り切り板７とリンク１１を介して連結されている。１２は、操作レバー１の下端１ａとリンク１１の前側とを枢着させるための前側の軸ピンである。又１３は、リンク１１の後側と擦り切り板７の前側を枢着させるための後側の軸ピンである。擦り切り板７は、操作レバー１がねじりコイルバネ１０の弾発力に抗して取っ手６の側に倒されると、図において左方向にスライドして収納部３内の種２を一定量だけ擦り切り、擦り切り後に操作レバー１から手指が離されると、ねじりコイルバネ１０の復元力で復帰するよう形成されている。
【００２２】
擦り切り板７には、収納部３から自重で落下する種２の充填孔７ａが板厚方向に貫通状に形成されている。この充填孔７ａは、本体部５に形成されている横断面円形の縦形流路５ｃと連通状に形成され、縦形流路５ｃに合わせて横断面円形状に形成されている。
【００２３】
又上記の導管４は、充填孔７ａの擦り切り後の移動位置に対応する本体部５の下面箇所に、充填孔７ａと連通状に設けられている。導管４は、下端を土に突き刺して種２を放出できるよう、この実施形態ではステンレスパイプで硬質状に形成されている。
【００２４】
次に本発明品の使用例を説明する。
【００２５】
先ず使用者は、図２に示されるように、取っ手６を片手で持ち、操作レバー１を親指で押す。するとリンク１１を介して擦り切り板７が、図４に示される状態から、同図において左方向に牽引されてスライドし、充填孔７ａが導管４の位置に配置される（図６参照）。従って充填孔７ａに詰まっている一定量の種２が、導管４の位置まで運ばれ、そして導管４から自重で落下して放出される。擦り切り板７がスライドする場合、縦形流路５ｃは擦り切り板７の上面で塞がれ、充填孔７ａは下プレート５ｂで塞がれている。従って本発明の場合、擦り切り板７の移動時に、種２が収納部３から落下したり、充填孔７ａから落下することはない。
【００２６】
次に使用者が、操作レバー１から親指を離すと、ねじりコイルバネ１０の復元力で操作レバー１が引き起こされ、操作レバー１の下端１ａが、図１において右方向に移動する。このためリンク１１を介して擦り切り板７が、右方向に移動して復帰する。この結果、充填孔７ａが縦形流路５ｃと一致し、収納部３から種２が自重で縦形流路５ｃを介して充填孔７ａに落下し、充填孔７ａに充填される。この実施形態の場合、種２の補給は、収納部３を取り外し、詰め替えることで行なわれる。又種２の放出量を変更する場合は、充填孔７ａの大きさが異なる別の擦り切り板７に交換する。交換作業は、螺子８を緩めて下プレート５ｂを外し、次に新しい擦り切り板７を後側の軸ピン１３に取り付け直すことで行なわれる。
【００２７】
次に本発明の他の実施形態について、図７〜図９に従って説明する。上例と同一部材、同一箇所については同一の符号を付し、詳しい説明は省略する。
【００２８】
この本発明は、収納部３に隣り合わせて肥料収納部１４が設けられている。この肥料収納部１４は、例えば透明状の筒形容器で形成され、本体部５に、肥料収納口１４ａを下にして螺子合わされ、本体部５の上面５ａに対し垂直状に、且つ着脱自在に設けられている。
【００２９】
又擦り切り板７には、肥料収納部１４から自重で落下する肥料１５の肥料充填孔７ｂが板厚方向に貫通状に形成されている。この肥料充填孔７ｂは、本体部５に形成されている縦形の肥料用流路５ｄに連通し、肥料収納部１４から自重で落下する粒状等の肥料１５が充填されるものであり、例えば肥料用流路５ｄの横断面形状に合わせて横断面円形に形成されている。
【００３０】
１６は、例えばステンレスパイプ製の肥料放出管である。この肥料放出管１６は、肥料充填孔７ｂの擦り切り後の移動位置に対応する本体部５の下面箇所に、肥料充填孔７ｂと連通状に設けられている。又この肥料放出管１６と、種２の放出用の導管４とは、種２と肥料１５が混合状態で流される合流管１７に連通状に接続されている。この合流管１７は、この実施形態では肥料放出管１６や導管４と同様、ステンレスパイプで形成されている。
【００３１】
次にこの本発明品の使用例を説明する。
【００３２】
先ず使用者は、図７に示されるように、取っ手６を片手で持ち、操作レバー１を親指で押す。するとリンク１１を介して擦り切り板７が、図８において、左方向に牽引されてスライドし、充填孔７ａと肥料充填孔７ｂが、導管４と肥料放出管１６の位置に配置される。従って充填孔７ａと肥料充填孔７ｂに充填されている一定量の種２と肥料１５が、導管４と肥料放出管１６の位置まで運ばれ、導管４と肥料放出管１６内に自重で落下する。そしてこの種２と肥料１５は、合流管１７を経て混ぜ合った状態で放出される。なお擦り切り板７がスライドする場合、縦形流路５ｃ及び縦形の肥料用流路５ｄは、擦り切り板７の上面で塞がれ、又充填孔７ａ、肥料充填孔７ｂは下プレート５ｂで塞がれている。従って擦り切り板７の移動時に、種２及び肥料１５が、収納部３及び肥料収納部１４から落下したり、充填孔７ａ及び肥料充填孔７ｂから落下することはない。
【００３３】
次に使用者が、操作レバー１から親指を離すと、図１に示される本発明品の場合と同様、ねじりコイルバネ１０の復元力で操作レバー１が引き起こされ、操作レバー１の下端１ａが、図８において右方向に移動する。このためリンク１１を介して擦り切り板７が、右方向に移動して復帰する。この結果、充填孔７ａと肥料充填孔７ｂが、縦形流路５ｃと肥料用流路５ｄに連通し、種２と肥料１５が、収納部３、肥料収納部１４から自重で充填孔７ａ、肥料充填孔７ｂに落下して充填される。肥料１５の補給は、種２の補給の場合と同様、肥料収納部１４を本体部５から取り外して行なわれる。又肥料１５の放出量を変更する場合は、肥料充填孔７ｂの大きさが異なる別の擦り切り板７に交換する。交換作業は、螺子８を緩めて下プレート５ｂを外し、新しい擦り切り板７を後側の軸ピン１３に取り付け直すことで行なわれる。
【００３４】
【発明の効果】
以上説明したように本発明は、取っ手を把持し、操作レバーを手指で操作すると収納部から一定量の種が放出されるものである。
従って本発明の場合は、片手で簡単且つ楽に種を一定量蒔くことができるから、これによれば使い勝手が良くなり、作業者の肉体的負担を軽減できる。
【図面の簡単な説明】
【図１】本発明種蒔き器の好適な一実施形態を示す側面図である。
【図２】同上種蒔き器の使用状態時の斜視図である。
【図３】同上種蒔き器の底面図である。
【図４】図３のＩＶーＩＶ線における要部断面図である。
【図５】同上種蒔き器の作用を説明するための底面図である。
【図６】図５のＶＩーＶＩ線における要部断面図である。
【図７】同上種蒔き器の他の実施形態を示す使用状態時の斜視図である。
【図８】図７の本発明品の底面図である。
【図９】図７の本発明品の正面図である。
【符号の説明】
１    操作レバー
２    種
３    収納部
４    導管
５    本体部
６    取っ手
７    擦り切り板
７ａ  充填孔
【図１】
2004180590.tif 000003
【図２】
2004180590.tif 000004
【図３】
2004180590.tif 000005
【図４】
2004180590.tif 000006
【図５】
2004180590.tif 000007
【図６】
2004180590.tif 000008
【図７】
2004180590.tif 000009
【図８】
2004180590.tif 000010
【図９】
2004180590.tif 000011